(57)【要約】  システムは、画像光ビームＩＬＢを投射領域ＰＡ上の画像ＰＩの表示のために投射領域ＰＡに投射する手段ＰＬ；ＭＩと、アンビエント光ビームを生成するための手段１であって、アンビエント光を生成するアンビエント光源ＬＳ；ＬＳ１、ＬＳ２、アンビエント光ビームＡＬＢ；ＡＬＢ１、ＡＬＢ２を供給するようにアンビエント光を受け取るコリメータＣＯ又は光ガイドＬＧ１、ＬＧ２、及び画像ＰＩに隣接したアンビエント光領域ＡＬＩを得るように投射領域ＰＡに向かってアンビエント光ビームＡＬＢ；ＡＬＢ１、ＡＬＢ２を反射するリフレクタＲＦ；ＲＦ１、ＲＦ２を有する手段１とを有している。
2010539523.tif 000002
【特許請求の範囲】
【請求項１】
画像光ビームを、投射領域における画像の表示のために前記投射領域上に投射する手段と、
アンビエント光ビームを生成する手段であって、
アンビエント光を生成するアンビエント光源、
前記アンビエント光ビームを供給するようにアンビエント光を受け取るコリメータ又は光ガイド、及び
前記アンビエント光ビームを、前記画像に隣接するアンビエント光領域を得るように前記投射領域に向かって反射するリフレクタ、
を有する手段と、
を有するシステム。
【請求項２】
前記画像光ビームを投射する手段は、投射レンズを有しており、前記アンビエント光ビームを生成する手段が少なくとも部分的に前記投射レンズの周りに配されている、請求項１に記載のシステム。
【請求項３】
前記アンビエント光を生成する手段は、前記コリメータを有しており、前記アンビエント光源、前記コリメータ及び前記リフレクタの配置は、前記アンビエント光源が前記投射レンズに最も近くにあると共に、前記コリメータは前記アンビエント光源と前記リフレクタとの中間にあるように、配されている、請求項２に記載のシステム。
【請求項４】
前記コリメータ及び前記リフレクタが前記画像に隣接して前記アンビエント光領域の境界において鋭いカットオフを得るように設計されている、請求項３に記載のシステム。
【請求項５】
前記アンビエント光ビームを生成する手段は、前記投射レンズの平面と平行に又は前記投射レンズの平面内に配されており、前記平面は、前記画像光ビームに対して実質的に垂直に延在している、請求項２に記載のシステム。
【請求項６】
前記画像光ビームを投射する手段は、ミラーを有しており、前記画像光ビームは、前記投射領域に向かって前記ミラーの前方平面によって反射され、前記アンビエント光ビームを生成する手段は、少なくとも部分的に前記ミラーの後方平面に配されている前記光ガイドを有している、請求項１に記載のシステム。
【請求項７】
前記光ガイドは、後方平面と平行に配されていると共に、少なくとも部分的に前記後方平面の後ろからの突出部分によって突出しており、前記突出部分は、出力窓を有しており、前記光ガイドは、前記リフレクタに前記アンビエント光ビームを供給するように前記アンビエント光源によって発される前記アンビエント光を受け取るように配されており、前記リフレクタは、前記投射領域に向かって前記出力窓を介して前記アンビエント光ビームを反射するように配されている、請求項６に記載のシステム。
【請求項８】
前記光ガイドの長さが、前記ミラーの後方平面の長さと実質的に同一である、請求項７に記載のシステム。
【請求項９】
前記光ガイドは、後方平面に平行であると共に前記アンビエント光源から前記リフレクタに向かって延在している方向に垂直な方向において及び／又は前記後方平面に垂直な方向において、規定されている増大する幅を有するように成形されている、請求項７に記載のシステム。
【請求項１０】
前記アンビエント光源は、複数の異なる有色光の発光体を有する、請求項１に記載のシステム。
【請求項１１】
前記画像の中央に対して前記アンビエント光領域の位置を調整する調節手段を更に有する、請求項１に記載のシステム。
【請求項１２】
前記調節手段が、前記コリメータ、前記光ガイド、前記リフレクタ及び前記アンビエント光源の、何れか１つを別個に又は何らかの組み合わせを傾斜する、請求項１１に記載のシステム。
【請求項１３】
前記アンビエント光ビームを生成する手段が、前記前方プロジェクタの一体部分である、請求項１に記載のシステムを有する前方プロジェクタ。
【請求項１４】
前記アンビエント光ビームを生成する手段は、前記前方プロジェクタに対して別個のアクセサリである、請求項１に記載のシステムを有する前方プロジェクタ。
【発明の詳細な説明】
【技術分野】
【０００１】
本発明は、画像光ビーム及び隣接するアンビエント光ビームの両方を投射領域に投射するシステムに関する。本発明は、更に、このようなシステムを有する前方プロジェクタに関する。
【背景技術】
【０００２】
米国特許第７，０７１，８９７号Ｂ２は、高解像度の画像をメインスクリーン上に表示する表示器システムと、前記メインスクリーン周辺に位置される拡大領域内の拡大画像とを開示している。視聴体験は、観察者に伝達される視覚の情報の増大のために、前記拡大画像の存在によって強調されている。前記拡大領域は、前記観察者の中心窩観測視野の外側にあり、この結果、前記拡大画像は、前記メインスクリーン上に表示される高解像度画像よりも低い解像度のものであっても良い。この従来技術の実施例において、この表示器システムは、前記高解像度画像を前記メインスクリーンに投射するメインプロジェクタと、前記低解像度画像を、それぞれ、左側及び右側において前記メインスクリーンの側面に位置している左右のパネルスクリーン上に投射する左右のパネルプロジェクタとを有している。この実施例は、光を当該部屋の側壁に投射するための第１及び第２の右側の並びに第１及び第２の左側の側部光源と、そして、光を当該部屋の天井に投射するための左右の天井光源とを更に有している。
【発明の概要】
【発明が解決しようとする課題】
【０００３】
このような構成は、３つの別々のプロジェクタと幾つかの別々の更なる光源とを必要としており、従って、複雑で大きい。
【０００４】
本発明の目的は、前方プロジェクタの画像に隣接してアンビエント光を投射することができるシステムであって、小型で使いやすいシステムを提供することにある。
【課題を解決するための手段】
【０００５】
本発明の第１の見地は、添付の請求項１に記載のシステムを提供する。本発明の第２の見地は、添付の請求項１３に記載の前部プロジェクタを提供する。有利な実施例は、添付の従属請求項に規定されている。
【０００６】
本発明の第１の見地によるシステムは、画像を前記投射領域に表示するために、画像光ビームを投射領域に投射する。前記画像は、写真、ビデオ又はコンピュータ生成された情報のような、如何なる情報であっても良い。前記画像は、記憶媒体から得られても良く、又は受信される放送であっても良い。アンビエント光生成器は、アンビエント光ビームを生成するものであり、アンビエント光源、コリメータ又は光ガイド、及びリフレクタを有している。前記アンビエント光源は、アンビエント光を生成する。前記コリメータ又は前記光ガイドは、入力窓において前記アンビエント光源によって生成されたアンビエント光を受け取り、前記リフレクタを介して前記投射領域に向かって反射される前記アンビエント光ビームを供給する。前記反射されたアンビエント光ビームは、前記画像に隣接してアンビエント光領域に当たる。
【０００７】
コリメータ又は光ガイドをリフレクタと一緒に使用することで、小型のソリューションを提供する。
【０００８】
一実施例において、前記アンビエント光源は、単色の光を発するＬＥＤ（発光ダイオード）又は異なる色を発する複数のＬＥＤを有している。
【０００９】
一実施例において、前記システムは、前記画像光ビームを前記投射領域上に投射するための投射レンズを有している。前記アンビエント光生成器は、少なくとも部分的に前記投射レンズの周りに配されている。例えば、前記アンビエント光生成器は、前記投射レンズを介して投射される前記画像の左又は右側におけるアンビエント光を生成するのみであっても良い。代替的には、前記アンビエント光生成器は、前記投射されている画像の底の最上部にアンビエント光を生成することができ、又は前記アンビエント光は前記投射されている画像を包囲しても良い。前記アンビエント光生成器を前記投射レンズの周りに配することによって、投射レンズを備える前方プロジェクタの実用的なソリューションが得られる。前記アンビエント光ビームの前記画像ビームに対する配置は、比較的容易である。
【００１０】
実施例において、前記アンビエント光生成器は、コリメータを有する。前記アンビエント光源、前記コリメータ及び前記リフレクタは、前記アンビエント光源が前記投射レンズに最も近いように配され、前記コリメータは、前記アンビエント光源と前記リフレクタとの中間にある。
【００１１】
一実施例において、前記コリメータ及びリフレクタは、前記アンビエント光ビームによって前記投射された画像が妨げられるのを最小限にするために、前記画像に隣接して前記アンビエント光領域の境界において鋭いカットオフを得るように設計されている。このようなコリメータ及びリフレクタの設計は、例えば、国際特許出願公開第２００６／０３３０４０号パンフレット及び国際特許出願公開第２００６／０３３０４２号パンフレットから知られている。
【００１２】
一実施例において、前記アンビエント光生成器は、前記投射レンズの平面と平行に、又は前記投射レンズの平面内に配されている。前記投射レンズの平面は、前記投射レンズによる平面として規定され、この平面は、前記投射レンズを横断する前記画像光ビームに対して実質的に垂直に延在している。このようなアンビエント光生成器を前記投射レンズに対して配するのは、比較的容易である。
【００１３】
一実施例において、ミラーが、前記画像光ビームを投射するのに使用される。ミラーを使用している前方プロジェクタは、例えば、国際特許出願公開第２００４／１１２３８６号パンフレットから知られている。前記画像光ビームは、前記投射領域に向かって前記ミラーの前方平面によって反射される。前記アンビエント光生成器は、前記ミラーの後方の平面において少なくとも部分的に配されている前記光ガイドを有している。前記ミラーの後方平面において、十分な空間が、前記アンビエント光生成器を支持するように利用可能である。更に、前記アンビエント光生成器が前記ミラーに取り付けられている場合、画像領域に対する前記アンビエント光ビームの配置は、簡単である。前記光ガイドは、単一の光ガイドであっても良く、前記画像の関連する側部にアンビエント光を供給するように、少なくとも部分的に前記ミラーの一方の側に沿って延在している。代替的には、２つの以上の光ガイドが、前記画像の２つ以上の側部においてアンビエント光を得るように使用されることができる。
【００１４】
一実施例において、前記光ガイドは、前記後方平面と平行に配されており、少なくとも部分的に前記後方平面の後ろからの突出部分を有して突出している。前記突出部分は、光出力窓を有している。前記光ガイドは、入力窓において前記アンビエント光源によって発される前記アンビエント光を受け取り、前記リフレクタに前記アンビエント光ビームを供給する。前記リフレクタは、前記投射領域に向かって前記出力窓を経て前記アンビエント光ビームを反射する。
【００１５】
一実施例において、前記光ガイドの長さは、異なる有色の発光体が使用されている場合、アンビエント光源によって放射される前記アンビエント光の最適な混合を得るために前記ミラーの後方平面の長さと実質的に同一である。
【００１６】
一実施例において、前記光ガイドは、前記後方平面と平行であって、前記リフレクタに向かって前記アンビエント光源から延在している方向に対して垂直な方向において規定されている増大している幅を有するために成形される。このような形状は、全内反射が維持されるという有利な点を持っている。代替的には、又は付加的には、前記幅は、前記後方平面に対して垂直な方向において、前記リフレクタに向かって前記アンビエント光源から延在している方向において増大することもできる。
【００１７】
一実施例において、前記アンビエント光源は、複数の異なる有色の発光体を有している。これらの異なる色は、白色光を生成することが可能であるように、選択されることもできる。前記異なる色は、表示パネルのピクセルの原色に対応するように選択されることもでき、前記アンビエント光によって生成されることができる色と投射された画像の色との間の最適な整合を得るように、投射される画像を生成する。
【００１８】
一実施例において、前記システムは、前記画像の中央に対して前記アンビエント光領域の位置の調整を可能にする調整装備を有している。このことは、画像の異なる寸法のための前記アンビエント光領域の正しい位置を得ることを可能にする。前記画像の異なる寸法は、異なるプロジェクタ、前記投射領域に対する特定のプロジェクタの異なる距離、又は投射されるべき前記画像のズームの使用によるものである。
【００１９】
一実施例において、調整設備が、前記コリメータ、前記光ガイド又は前記リフレクタに対して傾斜を適用する。
【００２０】
一実施例において、前記アンビエント光生成器は、前方プロジェクタの一体部分である。この一体部分は、前記前方プロジェクタのキャビネット内に位置決めされても良く、又は工場において（又はサービスアクションによって）前記投射レンズ又はミラーに取り付けられても良い。前記ユーザが、当該システムを位置合わせする必要はない。 
【００２１】
一実施例において、前記アンビエント光生成器は、前方プロジェクタに対する別個のアクセサリである。前記アクセサリは、前記ユーザによって前記前方プロジェクタに取り付けられることができる。
【００２２】
本発明のこれら及び見地は、以下に記載される実施例を参照して明らかになり、説明されるであろう。
【図面の簡単な説明】
【００２３】
【図１】投射レンズを備える前方プロジェクタの実施例を模式的に示している。
【図２】投射ミラーを備える前方プロジェクタの実施例を模式的に示している。
【図３】光ガイドの実施例を模式的に示している。
【図４】光ガイドを使用しているアンビエント光生成器の他の実施例を模式的に示している。
【発明を実施するための形態】
【００２４】
異なる図において同一の符号を有している項目は、同じ構造的なフィーチャ及び同じ機能を有している、又は同じ信号であることに留意されたい。このような項目の機能及び／又は構造は説明されており、これらの繰り返しの説明は、詳細に記載される必要はない。
【００２５】
図１は、投射レンズを備える前方プロジェクタの実施例を模式的に示している。前方プロジェクタＦＰは、３つの表示パネルＤＰ１、ＤＰ２及びＤＰ３、再結合立方体ＲＣ（文献においては、Ｘ―プリズムと称されている）と、アンビエント光源ＬＳと、投射レンズＰＬと、信号処理器ＳＰとを有している。
【００２６】
一例として、この実施例は、表示パネルＤＰ１が、画像の赤色部分ＦＰ１を供給し、表示パネルＤＰ２が緑色部分ＦＰ２を供給し、表示パネルＤＰ３が青色部分ＦＰ３を供給すると仮定することによって、説明されるであろう。しかしながら、赤、緑及び青色以外の何らかの他の原色の集合も、同様に使用されることができる。表示パネルＤＰ１、ＤＰ２及びＤＰ３を照明している光源は、図示されていない。
【００２７】
表示パネルＤＰ１によって生成されている赤色の画像部分ＦＰ１は、この入力側ＩＳ１において再結合立方体ＲＣに入り、赤色光を反射すると共に緑色光を透過する半透明色リフレクタＭ１によって反射される。従って、表示パネルＤＰ１から生じている赤色光は、再結合立方体ＲＣの前記出力側ＯＳに向かって半透明色リフレクタＭ１によって反射される。表示パネルＤＰ３によって生成される青色画像部分ＦＰ３は、入力側ＩＳ３において再結合立方体ＲＣに入り、青色光を反射すると共に緑色光を透過する半透明色リフレクタＭ２によって反射される。従って、表示パネルＤＰ３から生じている青色光は、半明色リフレクタＭ２によって再結合立方体ＲＣの出力側ＯＳに向かって反射される。表示パネルＤＰ２から生じている緑色光は、半透明色リフレクタＭ１及びＭ２の両方を通過して、出力側ＯＳにおいて再結合立方体ＲＣを出る。画像ビームＩＬＢは、投射領域ＰＡ上の画像ＰＩとして投射レンズＰＬによって投射される。
【００２８】
示されている実施例において、アンビエント光源ＬＳは、プロジェクタレンズＬＳの周りに配されており、アンビエント光をコリメータＣＯの入力側に発する。前記アンビエント光ビームは、この出力側においてコリメータＣＯを出て、リフレクタＲＦに向かって指向される。リフレクタＲＦは、投射領域ＰＡに向かうアンビエント光ビームＡＬＢとしてコリメータＣＯを出るアンビエント光ビームを反射するように成形されている。好ましくは、前記アンビエント光ビームは、投射された画像ＰＩに隣接してアンビエント光領域ＡＬＩを直接的に照明するために投射される。しかしながら、間隙が、投射された画像ＰＩとアンビエント光領域ＡＬＩとの間に設けられても良い。
【００２９】
上述のアンビエント光源ＬＳ、前記コリメータ、及びリフレクタは、例えば、表示パネルＤＰ１、ＤＰ２及びＤＰ３の真っ直ぐな側に対応している環形として又は正方形としてプロジェクタレンズＬＳを包囲していることに留意されたい。更に、アンビエント光が言及されている場合、（複数の）前記アンビエント光源によって生成される光を意味しており、前方プロジェクタＦＰの周囲環境に現れる光を意味しているのではないことに留意されたい。
【００３０】
アンビエント光源ＬＳ、コリメータＣＯ及びリフレクタＲＦは、完全な円にわたって延在していなければならないわけではない。例えば、アンビエント光のみが、投射された画像ＰＩの左右の側のみにおいて生成されなければならない場合、２つの光源ＬＳ、２つのコリメータＣＯ及び２つのリフレクタＲＦが、投射レンズＰＬの両側で使用されることができる。今、リフレクタＲＦは、長方形の２つの対向する側を形成することもできる。前記アンビエント光が、投射された画像ＰＩの左右の側及び上下の側において生成されなければならない場合、４つの光源ＬＳ、コリメータＣＯ及びリフレクタＲＦが、長方形に配されている１つのものの代わりに、使用されることもできる。
【００３１】
前記コリメータ及びリフレクタは、前記投射された画像が前記アンビエント光ビームによって妨害されるのを最小限にするために、前記画像に隣接して前記アンビエント光領域の境界における鋭いカットオフを得るように設計されることができる。このようなコリメータ及びリフレクタの設計は、例えば、国際特許出願公開第２００６／０３３０４０号パンフレット及び国際特許出願公開第２００６／０３３０４２号パンフレットから知られている。
【００３２】
図１に示されているように、（複数の）アンビエント光源ＬＳ、（複数の）コリメータＣＯ及び（複数の）リフレクタＲＦの組み合せは、画像光ビームＩＬＢに対して垂直な（又は、再結合立方体ＲＣの出力側ＯＳと平行な）平面内に配されることができる。好ましくは、この平面は、投射レンズＰＬを通って走っている。アンビエント光源ＬＳは、投射レンズＰＬの側部に対して最も近くに配され、コリメータＣＯは、アンビエント光源ＬＳとリフレクタＲＦとの間に位置決めされている。この配置は、アンビエント光源ＬＳ、コリメータＣＯ及びリフレクタの組合せは、投射レンズＰＬに直接的に又は間接的に取り付けられることができ、投射されるべき前記画像と同じ平面内に投射されるべき前記アンビエント光を供給するという有利な点を持っている。
【００３３】
アンビエント光源ＬＳ及びコリメータＣＯの配置が、予め規定されている垂直な平面内になければならないというわけではないことに留意されたい。例えば、コリメータＣＯを出る光ビームは、この平面に関して角度を有していても良い。例えば、光源ＬＳは、コリメータＣＯよりも再結合立方体ＲＣに対して近くに配されることもできる。リフレクタＲＦは、依然として、アンビエント光ビームＡＬＢを表示領域ＰＡ上の同じ位置に投射するように、対応して適応化されなければならない。
【００３４】
信号プロセッサＳＰは、入力画像信号ＩＤＳに従うこれらのピクセルの透過を制御するために、表示パネルＤＰ１、ＤＰ２及びＤＰ３に、それぞれ、駆動信号ＤＳ１、ＤＳ２及びＤＳ３を供給する。３つの表示パネルＤＰ１、ＤＰ２及びＤＰ３が使用されているので、赤、緑及び青色ピクセルが同時に生成されることができる。単一の表示パネルが設けられている場合、赤、緑及び青色のサブ画像が、例えば、前記単一の表示パネル上に当たる光の色を系列的に変化させることによって、時系列的に生成されることができる。単一の表示パネルが使用される場合、再結合立方体ＲＣは不要である。
【００３５】
調整器ＡＭは、アンビエント光領域ＡＬＩの位置を変更するようにリフレクタＲＦを傾斜するためにリフレクタＲＦに機械的に結合されている。代替的には、この代わりに、又はこれに加えて、調整器ＡＭは、コリメータＣＯを傾斜するために前記コリメータに機械的に結合されている。リフレクタＲＦは、コリメータＣＯとは別個に傾斜されることができる機械的に別個のミラーであっても良い。代替的には、アンビエント光源ＬＳ、コリメータＣＯ及びリフレクタＲＦのアセンブリ全てが、傾斜されることもできる。
【００３６】
図２は、投射ミラーを備える前方プロジェクタの実施例を模式的に示している。前記前方プロジェクタは、ミラーＭＩを介して投射領域ＰＩ上に投射される画像を生成する投射ユニット（図示略）を有している。このような投射ユニット及びミラーを使用している前方プロジェクタは、国際特許出願公開第２００４／１１２３８６号パンフレットに開示されている。本発明の前記関連する問題は、アンビエント光生成器がミラーＭＩに取り付けられるということである。当該プロジェクタからの光ビームは、ＬＢＰによって示される。この種の前方プロジェクタに関して、ミラーＭＩ以外の他のフィーチャは、これらが本発明の理解に関連しているわけではないので、議論しない。
【００３７】
ミラーＭＩは、反射性である前方平面ＦＰＭを有しており、従って、前記画像光ビームを投射領域ＰＡに向かって反射する。ミラーＭＩは、前方平面ＦＰＭに対向している後方平面ＢＰＭを有している。アンビエント光源及び光ガイドの第１の組合せ及び第２の組合せのスタックが、後方平面ＢＰＭに配されている及び後方平面ＢＰＭに平行に配されている。前記第１の組合せは、光源ＬＳ１及び光ガイドＬＧ１を有しており、前記第２の組合せは、光源ＬＳ２及び光ガイドＬＧ２を有している。
【００３８】
光ガイドＬＧ１は、ミラーＭＩの傍又はミラーＭＩの特定のエッジにおける光入力窓ＩＷ１を有しており、リフレクタＲＦ１は、前記特定のエッジに対向するミラーＭＩのエッジに配されている。アンビエント光源ＬＳ１は、光ガイドＬＧ１の前記光入力窓に設けられている。光ガイドＬＧ１は、リフレクタＲＦ１が、投射領域ＰＡに向かって出力窓ＯＷ１を介して光ガイドＬＧ１内に光を反射することができるように、ミラーＭＩの後方平面の後ろから突出しなければならない。出力窓ＯＷ１を出ているアンビエント光ビームは、ＡＬＢ１と称される。示されている実施例において、リフレクタＲＦ１は、後方平面ＢＰＬに関して４５度の角度の下で配され、出力窓ＯＷ１は、後方平面ＢＰＭと平行に延在している。リフレクタＲＦ１及び出力窓ＯＷ１の実際の方位は、異なって選択されても良い。大切なのは、アンビエント光ビームＡＬＢ１が、所望の領域に指向されるということである。
【００３９】
第２の光ガイドＬＧ２は、前記特定のエッジに対向するエッジの近くに又は当該エッジに光入力窓ＩＷ２を有しており、リフレクタＲＦ２は、前記特定のエッジに配されている。アンビエント光源ＬＳ２は、光ガイドＬＧ２の前記光入力窓に設けられている。光ガイドＬＧ２は、リフレクタＲＦ２が投射領域ＰＡに向かって出力窓ＯＷ２を介して光ガイドＬＧ２内に光を反射することができるように、ミラーＭＩの後方平面の後ろから突出していなければならない。出力窓ＯＷ２を出るアンビエント光ビームは、ＡＬＢ２と称されている。示されている実施例において、リフレクタＲＦ２は、後方平面ＢＰＬに関して４５度の角度の下で配され、出力窓ＯＷ２は後方平面ＢＰＭに対して平行に延在している。リフレクタＲＦ２及び出力窓ＯＷ２の実際の方位は、異なって選択されても良い。
【００４０】
アンビエント光源ＬＳ１及びＬＳ２は、複数の異なる有色のＬＥＤのものを有していても良い。
【００４１】
示されてはいないが、調整器（図１におけるＡＭ）は、前記リフレクタがコリメータＣＯから機械的に分離されている場合、リフレクタＲＦ１（ＲＦ２）と機械的に結合されていても良い。又は、代替的には、調整器ＡＭは、リフレクタＲＦ１、ＲＦ２が光ガイドＬＧ１（ＬＧ２）を有する１つの部分である場合、光ガイドＬＧ１（ＬＧ２）と機械的に結合されることができる。代替的には、調整器ＡＭは、光ガイドＬＧ１、ＬＧ２及びリフレクタＲＦ１（ＲＦ２）の両方に、アンビエント光領域ＡＬＩの位置を調整するように前記リフレクタ及び光ガイドを傾斜するために機械的に結合されることができる。調整器ＡＭは、光源、コリメータ、前記光ガイド及び前記リフレクタの前記アセンブリを傾斜することもできる。前記リフレクタは、光ガイドを有する１つの部分であっても良い。
【００４２】
一実施例において、図２に示されている前記アセンブリは、前記ミラー表面に垂直な中央軸の周りに９０度以上回転されており、この結果、前記アンビエント光は、上下の側の代わりに、前記画像の左右の側に投射される。代替的には、前記アンビエント光は、前記ミラー表面の上、下、左及び右側に設けられることもできる。
【００４３】
図３は、光ガイドの実施例を模式的に示している。図３に示されている光ガイドＬＧ１は、図２に示されているようなミラーＭＩの後方平面ＢＰＭに取り付けられることができる。光ガイドＬＧ１は、出力窓ＯＷ１に対して比較的小さい入力窓ＩＷ１を備える台形の形状を有している。入力窓ＩＷ１の寸法は、光源ＬＳ１において使用される光発光体の寸法及び数に関連している。出力窓ＯＷ１の寸法は、アンビエント光ビームＡＬＢ１によって覆われる領域の寸法によって規定される。前記台形の形状は、全内反射が維持されるという有利な点を有する。
【００４４】
代替的には又は付加的には、光ガイドＬＧ１は、前記ミラー面に対して垂直な方向において前記アンビエント光源ＬＳ１から出力窓ＯＷ１に向かってより広くなっていても良い。例えば、入力窓ＩＷ１の幅は、２ｍｍであり、出力窓ＯＷ１の幅は７ｍｍである。
【００４５】
図２に示される前記光ガイドＬＧ２は、前記同じ形状を有しても良いが、出力窓ＯＷ１の近くにおける自身の入力窓ＩＷ２と、入力窓ＩＷ１の近くにおける自身の出力窓ＯＷ２とを有している。
【００４６】
図４は、光ガイドを使用しているアンビエント光生成器の他の実施例を模式的に示している。光ガイドＬＧ１及びＬＧ２は、同一平面内に配されており、両方ともミラーＭＩの後方平面ＢＰＭに取り付けられている。アンビエント光源ＬＳは、２つの光ガイドＬＧ１、ＬＧ２の中間に配されており、ぞれぞれ、光ガイドＬＧ１及びＬＧ２の入力窓ＩＷ１及びＩＷ２の両方内に光を発する。単一のアンビエント光源ＬＳの代わりに、異なる光源が、色及び強度が別個に制御されることができるように、異なる光ガイドＬＧ１、ＬＧ２のために使用されることもできる。再び、図２に示されているように、光ガイドＬＧ１は、ミラーＭＩの後方から突出しているリフレクタＲＦ１及び出力窓ＯＷ１を有している。同じ態様において、光ガイドＬＧ２は、ミラーＭＩの後方から突出しているリフレクタＲＦ２及び出力窓ＯＷ２を有している。
【００４７】
前記光ガイドが曲げられた形状を有しても良いことに留意しなければならない。例えば、アンビエント光源ＬＳが、２つ以上の光ガイド内に入力されなければならない場合、これらの光ガイドは、前記ミラーのエッジに向かって延在するように曲がっていなければならないというよりは、前記ミラー面と平行に入力窓を有していても良い。
【００４８】
上述の実施例は、本発明を限定するというよりはむしろ説明しているものであり、当業者であれば、添付請求項の範囲を逸脱することなく多くの代替的な実施例を設計することができることに留意されたい。例えば、前記アンビエント光源の色及び／又は輝度は、投射された画像ＰＩの内容に適しているアンビエント光を得るように変調されることができる。前記投射された画像の異なる側に隣接している前記アンビエント光ビームを生成するアンビエント光源の色及び強度は、例えば、関連する境界の近くの画像内容に従って変化するように、異なって制御されても良い。
【００４９】
前記請求項において、括弧内に配されている如何なる符号も、前記請求項を制限するものとしてみなされてはならない。「有する」なる語の使用は、前記請求項に述べられているもの以外の要素又はステップの存在を除外するものではない。単数形の構成要素は、複数のこのような要素の存在を除外するものではない。本発明は、幾つかの異なった要素を有するハードウェアによって、及び最適にプログラムされたコンピュータによって実施化されても良い。幾つかの手段を列挙している装置請求項において、これらの手段の幾つかは、ハードウェアの全く同一の項目によって実施されても良い。特定の手段が、相互に異なる従属請求項において引用されているという単なる事実は、これらの手段の組み合わせが有利に使用されることができないと示すものではない。
【図１】
2010539523.tif 000003
【図２】
2010539523.tif 000004
【図３】
2010539523.tif 000005
【図４】
2010539523.tif 000006
【国際調査報告】
2010539523.tif 000007
2010539523.tif 000008
2010539523.tif 000009
2010539523.tif 000010
2010539523.tif 000011